(57)【特許請求の範囲】
【請求項１】
所定の時間、登録モードに設定可能な少なくとも１台の端末装置とネットワークで接続可能なサーバであって、
前記端末装置は、
サーバに対して日付および時刻情報の送信を要求する時刻要求パケットを送信する送信部と、
前記送信した時刻要求パケットに対する応答として前記サーバから日付および時刻情報を受信する受信部と、
前記受信部により受信した日付および時刻情報に基づいて日付および時刻を校正可能な第１のタイマーと、を備え、
前記サーバは、
前記端末装置から前記時刻要求パケットを受信する受信部と、
日付および時刻を示す第２のタイマーと、
前記受信部が前記時刻要求パケットを受信するのに応じて、前記第２のタイマーが示す日付および時刻情報を付加した時刻応答パケットを前記端末装置へ送信する送信部と、を備え、
前記送信部は、前記登録モードに設定された端末装置を検索するために、前記ネットワークに接続されているすべての端末装置へマルチキャストで検索パケットを送信し、
前記受信部は、前記検索パケットを受信した前記登録モードの端末装置から応答パケットを受信し、
前記送信部は、前記応答パケットを送信した端末装置へ自機を特定するＩＤを付加した認証要求パケットを送信し、
前記受信部は、前記認証要求パケットを受信した端末装置が発生した第１のパスワードを受信し、
前記受信した第１のパスワードに基づいて、前記第１のパスワードを発生した端末装置を自機へ登録する登録部をさらに備える、
サーバ。
【請求項２】
請求項１に記載のサーバに接続される端末装置であって、
前記時刻要求パケットを送信してから前記時刻応答パケットを受信するまでの遅延時間を計測し、前記遅延時間が所定以上の場合は、前記第１のタイマーの校正を禁止するよう制御する制御部をさらに備える、
端末装置。
【請求項３】
請求項１に記載のサーバと、請求項２に記載の端末装置とからなるサーバシステム。
【請求項４】
前記端末装置がカメラ装置であり、前記サーバが録画装置である場合に、
前記カメラ装置は、イベントが発生した場合に、イベント通知を前記録画装置へ送信するイベント通知手段を有し、
前記録画装置は、前記イベント通知を受信した場合に、前記ＩＤおよび前記パスワードを付加した画像取得要求パケットを前記カメラ装置へ送信し、前記カメラ装置は少なくとも前記パスワードで認証後に前記撮影画像を前記録画装置へ送信し、前記録画装置は受信した前記撮影画像を記録媒体に記録する、
請求項３に記載のサーバシステム。
【請求項５】
前記カメラ装置がドアホンであり、前記ネットワークが家庭内電力線通信ネットワークである、
請求項４に記載のサーバシステム。
【請求項６】
前記サーバにおける送信部は、自機を特定するＩＤと共に、自機で発生した第２のパスワードを前記端末装置へ送信し、
前記端末装置は、受信した第２のパスワードと同一のパスワードを第１のパスワードとして発生する、
請求項３に記載のサーバシステム。
【発明の詳細な説明】
【技術分野】
【０００１】
本発明は、家庭内のネットワーク（ＬＡＮ：ローカルエリアネットワーク）を利用して玄関先や勝手口の来訪者の画像を録画できるとともに初期設定を簡単な方法で実施できる録画システムおよび録画装置に関する。
【背景技術】
【０００２】
特に都市部においては防犯上の理由と利便性とから、来訪者の顔画像を宅内において確認できる俗にカメラドアホンと言われる画像監視装置が普及してきている。
【０００３】
このカメラドアホンは、玄関先や勝手口などの宅外に設置したドアホン子機と、これに接続して宅内のリビングルームや厨房に設置したドアホン親機とで構成され、ドアホン親機のディスプレイ装置で来訪者の画像をリアルタイムに視認できるものである。
【０００４】
また、不在時において、来訪者の画像を、所定時間（例えば３０秒間）内部のフラッシュメモリなどの記録媒体に、来訪者がドアホン子機の呼び出し釦を押した時刻を添えて記録し、帰宅後に上記メモリが画像を呼び出して来訪者を確認できる機能を有しているものも実用化されている。
【０００５】
この画像を記録できるカメラドアホンにおいては、記録媒体の記録容量に制限があるため、記録できる画像数が制限を受け、記録する画像数が記録媒体の記録限界を超える場合は、古い画像に新しい画像を上書きする方法が採られている。
【０００６】
このため、海外旅行などで長期に不在の場合には、すべての来訪者を確認できない課題があった。
【０００７】
さて、近年、テレビ放送がアナログ放送からデジタル放送に移行していくことと、パソコン（パーソナルコンピュータ）の高普及を背景にして、主としてテレビ放送を録画できるビデオ録画装置は、画像の記録媒体が磁気テープから磁気ディスク（ＨＤＤ：ハードディスクドライブ）に移行し、録画装置自体もパソコン並の構造と機能を有するようになってきている。
【０００８】
また、インターネットの利用を主とするパソコンが家庭内に複数台普及しつつあることを背景に家庭内のネットワークの普及も向上し、ネットワークの種類もメタル配線から、配線作業の少ない無線ネットワーク、さらには、機器への電力供給を行う電灯線を信号線として利用するＰＬＣ（パワー・ライン・キャリア）方式も実用化されるに至っている。これに伴って、家庭内外でネットワークを使った監視システムの技術が開示されている（例えば、特許文献１、２参照）。
【０００９】
以上のことを背景として、家庭内の電気機器にネットワークに接続できるネットワーク端子を設けて、このネットワーク端子をネットワークの情報コンセントに接続し、相互に通信して、電気機器相互の連携作業や相互補完、さらにはインターネットを通じて外部のパソコンや携帯電話からの電気機器の監視や制御といった機能の開発が、進められており一部は実用化されてきた。
【００１０】
前述のカメラドアホンについても、ネットワーク端子を設けてネットワークに接続し、同じくネットワークに接続したビデオ録画装置にカメラドアホンの画像を録画するようにすれば、カメラドアホンの記録媒体の容量がギガ（１０の９乗）バイト以下のオーダーであるのに対して、ビデオ録画装置の記録媒体の容量がテラ（１０の１２乗）バイトオーダーのものが登場しており、略１０００倍の記録容量の一部、例えば１割を利用すれば、１００ギガバイトの容量の記録ができ、前述の長期に不在の場合に、すべての来訪者を確認できない課題を解決することができる。
【００１１】
また、このように、カメラドアホンの機能の欠点をビデオ録画装置が補完するだけでなく、来訪者のリアルタイムの画像や録画された画像をビデオ録画装置に接続された大型のテレビのディスプレイ上で視認できる効果もある。
【特許文献１】特開２００２−２７９５６０号公報
【特許文献２】特開２００２−７７８８１号公報
【発明の開示】
【発明が解決しようとする課題】
【００１２】
以上述べたように、カメラドアホンとビデオ録画装置をネットワークで接続することにより、カメラドアホンの欠点を補完し、新たな効果が得られるが、このことを実現するためには次のことが必要である。
【００１３】
すなわち、相互に接続しようとするカメラドアホンとビデオ録画装置は、使用に先だって相互の登録・認証（通信相手の特定）をしておく必要がある。なぜなら、登録・認証がなければ、特にネットワークが無線やＰＬＣで構成されている場合には、来訪者の画像が近隣の同様のシステムのビデオ録画装置に録画されたり、その逆の現象が発生したりする。
【００１４】
通常、この登録・認証は、ネットワークの知識を必要とし、あるいは、複雑な操作が必要であり、ネットワークの知識のない一般の使用者には困難である。また、前述のようにカメラドアホンの撮影画像は、撮影日付・時刻を添付して記録されるためカメラドアホンが内蔵するカレンダー時計（タイマーとも呼ぶ）が停電その他の理由で誤差を発生すると、誤った来訪時刻を使用者に告知することになり不都合である。
【００１５】
本発明は、上記課題を解決するためになされたものであり、ネットワークの知識のない一般の使用者でも、簡単な操作で上記登録・認証の設定が行えるようにするとともに、正確な撮影日時を記録できる録画システムおよび録画装置を提供することを目的としている。
【課題を解決するための手段】
【００１６】
上記課題を解決するために本発明の端末装置は、外部から日付および時刻情報を受信することにより校正可能なタイマーを備えたサーバに、ネットワークを介して接続可能な端末装置であって、前記端末装置は、前記サーバから日付および時刻情報を取得するための時刻要求パケットを送信し、前記サーバは自機のタイマーの日付および時刻情報を付加した時刻応答パケットを前記端末装置へ返信し、前記端末装置は、受信した前記日付および時刻情報で前記端末装置のタイマーを校正する。
【００１７】
また本発明の端末装置は、前記時刻要求パケットを送信してから時刻応答パケットを受信するまでの遅延時間を計測し、前記遅延時間が所定以上の場合は、前記端末装置のタイマーの校正を禁止することを特徴とする。
【００１８】
また本発明のサーバは、端末装置と接続可能なサーバであって、前記端末装置から日付および時刻情報を取得するための時刻要求パケットを受信し、自機のタイマーの日付および時刻情報を付加した時刻応答パケットを前記端末装置へ返信することを特徴とする。
【００１９】
また本発明のサーバは、所定の時間、機器を登録モードに設定可能な少なくとも１台の端末装置とネットワークで接続されており、登録モードの端末装置を検索するために、前記ネットワークに接続されているすべての端末装置へマルチキャストで検索パケットを送信し、前記検索パケットを受信した前記登録モードの端末装置から応答パケットを受信する登録モード検索手段と、前記応答パケットを送信した端末装置へ自機を特定するＩＤを付加した認証要求パケットを送信し、前記認証パケットを受信した端末装置が発生したパスワードを受信して自機へ登録する機器登録手段を備えることを特徴とする
【００２０】
また本発明のサーバシステムは、前記端末がカメラ装置であり、前記サーバが録画装置である場合に、前記カメラ装置は、イベントが発生した場合に、イベント通知を前記録画装置へ送信するイベント通知手段を有し、前記録画装置は、前記イベント通知を受信した場合に、前記ＩＤおよび前記パスワードを付加した画像取得要求パケットを前記カメラ装置へ送信し、前記カメラ装置は少なくとも前記パスワードで認証後に前記撮影画像を前記録画装置へ送信し、前記録画装置は受信した前記撮影画像を記録媒体に記録することを特徴とする。
【００２１】
また本発明のサーバシステムは、前記カメラ装置がドアホンであり、前記ネットワークが家庭内電力線通信ネットワークであることを特徴とする。
【発明の効果】
【００２５】
本発明によれば、ネットワークの知識のない利用者がカメラドアホンなどのカメラ装置とビデオ録画装置をネットワークに容易に接続できるとともに、録画された画像の日付・時刻を正確に維持できる録画システムおよび録画装置を提供できる。
【発明を実施するための最良の形態】
【００２６】
以下に、本発明の実施の形態について、図面を参照しながら説明する。なお、説明をわかりやすくするために、一部に数値を付して説明するが、本発明は、この数値には拘束されない。
【００２７】
（実施の形態１）
本実施の形態は、前述の第１の目的を実現するための発明の実施の形態であり、図１〜図４を用いて説明する。
【００２８】
図１は、本発明が適用される録画システムの構成例を示す図である。ＰＬＣを用いたネットワーク１には、コンセント１ａ、１ｂ、１ｃが設けられている。これらのコンセントは機器への電源の供給とともに情報コンセントも兼ねている。ＰＬＣアダプタ（ドアホンアダプタとも呼ぶ）２は情報コンセント１ａに接続され、さらにカメラドアホン親機３に接続されている。カメラドアホン親機３には、玄関などに設置されるカメラドアホン子機４が接続されている。
【００２９】
ＰＬＣアダプタ５は情報コンセント１ｂと、宅内もしくは宅外に設置されるネットワークカメラ６とに接続されている。ＰＬＣアダプタ２およびＰＬＣアダプタ５は、将来的にはそれぞれカメラドアホン親機３とネットワークカメラ６と一体化される性格のものである。
【００３０】
ＰＬＣアダプタ７は情報コンセント１ｃとルータ８とに接続されている。ルータ８は、録画装置９と外部のインターネット１０に接続される。録画装置９にはテレビ放送を受信するテレビ１１が接続される。赤外線式のリモコン装置１２は録画装置９とテレビ１１のモード切換操作やチャネル切換操作を行う。
【００３１】
このような構成において、リモコン装置１２を操作して、録画装置９によってカメラドアホン子機４やネットワークカメラ６の撮影する来客や宅外の映像を録画する。あるいは、テレビ１１の画面上で上記映像を視認したり、録画した映像を呼び出してみることが可能である。また、外出先の携帯電話機で、録画した映像や留守宅のペットの様子をインターネットを通じて見ることができる。
【００３２】
しかしながら、以上のことを行うためには、予め、カメラドアホン親機３やネットワークカメラ６を録画装置に直接、メタル配線で接続し、登録・認証を行う必要がある。通常、相互に通信する相手を特定する、いわゆる機器同士の登録・認証は、当該の機器にそれぞれの通信相手の識別子（ＩＤ）と共通のパスワードを登録しておくことによって行われる。
【００３３】
以下、この登録・認証の方法について、カメラドアホン親機３と録画装置９とを例にして図２〜図４を用いて説明する。図２は、本実施の形態のカメラドアホン用のＰＬＣアダプタ（ドアホンアダプタ）２の外観を示す図である。カメラドアホン用のＰＬＣアダプタ２には、使用者が操作するための登録釦２ａと表示ランプ２ｂが設けられている。登録・認証の設定は、この登録釦２ａの操作とリモコン装置１２の操作で行われる。リモコン装置１２の操作は、使用者がテレビ１１の画面に表示されたアイコンと呼ばれる釦表示をリモコン装置１２のカーソルキーで選択して決定釦を押す方式のＧＵＩ（グラフィック・ユーザー・インタフェース）と呼ばれる一般的な方式で実施するため図示を省略する。なお、登録釦２ａと表示ランプ２ｂは、カメラドアホン親機３に設けても差し支えがない。
【００３４】
図３は、本実施の形態の登録・認証設定のための使用者の操作手順を示す図である。この図面に従い、図２を参照しながら登録・認証設定の概要を説明する。Ｓ（ステップ）１０１において、使用者はテレビ画面を機器の登録画面にしておく。次にＳ１０２で登録釦２ａを押すと、Ｓ１０３で表示ランプ２ｂが６分間点滅する。次にＳ１０４で、表示ランプ２ｂの点滅中において、登録画面で登録設定のアイコンを選択・設定する。これにより、カメラドアホン親機３のＰＬＣアダプタ２と録画装置９の間で相互に登録・認証手続きのための通信が行われる。
【００３５】
次に、Ｓ１０６でテレビ画面にカメラドアホン親機３の録画装置９への登録が終了したガイダンスが表示される。同時にＳ１０７で、ＰＬＣアダプタ２の表示ランプ２ｂの点滅が点灯に変わり、カメラドアホン親機３に録画装置９が登録されたことが識別できる。
【００３６】
次に、前述したＳ１０５の相互通信の詳細を図４の前半を用いて説明する。図４の前半は、登録設定のための通信の手順を示す図である。図４は本実施の形態のカメラドアホン用のＰＬＣアダプタ（ドアホンアダプタ）２と録画装置９との通信の手順を示す図で、説明の便宜上、前者をＡ、後者をＢとして説明する。
【００３７】
まず、Ｓ２０１において、使用者がＡの登録釦２ａを押すと、Ａは、６分間は登録設定のための待機状態になる。次にＳ２０２で、Ｂ側で使用者が登録設定の操作をすると、ＢはＳ２０３で、登録モード機器検索のパケットをマルチキャストもしくはブロードキャストでネットワーク１に送出する（以下単に送出と記載）。
【００３８】
このパケットを受信したＡは、Ｓ２０４で、上記パケットに含まれるＢのＭＡＣアドレス宛てに、自己が登録モード機器である旨の応答パケットをユニキャストで送出する。この場合、応答パケットの送出は、６分間に登録モード機器検索のパケットを受信した場合に限定され、６分を過ぎて登録モード機器検索のパケットを受信した場合は、応答パケットは送出されず、登録操作は中止される。
【００３９】
次に、Ｓ２０５において、Ｂは、乱数発生などの方法によりパスワードＢを生成し記憶する。このパスワードＢは複数のカメラドアホンを登録する際の使用を想定しているが、必ずしもこのパスワードＢは使用する必要はなく、後述するようにＡで発生されるパスワードＡをすべての装置で共有するようにしてもよい。
【００４０】
次のＳ２０６において、パスワードＢとＢのＩＤ（録画装置であることの識別子、型番、一連の製造番号など）を添付した認証要求パケットを送出する。
【００４１】
次にＳ２０７においてＡは、上記の認証要求パケットに含まれるＭＡＣアドレスＢとＩＤを自己の不揮発性メモリなどに関連づけて記憶するとともにパスワードＡを生成し記憶する。
【００４２】
次にＳ２０８で、生成したパスワードＡを添付した認証完了パケットを録画装置のＭＡＣアドレス宛に送出する。
【００４３】
次にＳ２０９で、Ｂは、上記の認証完了パケットに含まれるＡのパスワードＡを自己の不揮発性メモリなどに記憶し、登録設定の通信手順を終了する。
【００４４】
以上のようにして、ＰＬＣアダプタ（ドアホンアダプタ）２には、録画装置９のＭＡＣアドレスＢとＩＤが登録され、録画装置９には、ＰＬＣアダプタ２のパスワードＡが登録される。これにより相互の通信相手を特定し、盗視や誤った録画を防止できる。このようにドアホンアダプタと録画装置が同じパスワードＡを共有することによりお互いの機器を簡単に認証できる。ドアホンが２台以上、録画装置に接続される場合も同様である。
【００４５】
以上説明したように、本発明の録画システムは、ネットワークに接続したカメラなどの撮像装置と録画装置との登録・認証を、簡単な釦操作で実施できるものであり、使用者はネットワークの知識を持たなくても容易に実施できるものである。
【００４６】
なお、本実施の形態で実施している相互に登録する機器のＩＤは、必ずしも必要ではなく、省略しても差し支えがない。
【００４７】
また、ＰＬＣアダプタ２に設けた登録釦２ａは、カメラドアホン親機３のディスプレイ上にタッチパネル式に設けてもよく、同様に表示ランプ２ｂもディスプレイ上に文字などでのガイダンスで実施しても差し支えない。
【００４８】
さらに、録画装置側の設定操作もＧＵＩの方式によらず、図２に示す釦と表示を録画装置９に設けて行うようにしても差し支えない。
【００４９】
（実施の形態２）
本実施の形態は、前述の第２の目的を実現するための発明の実施の形態であり、図４〜図７を用いて説明する。システム構成は実施の形態１と同じであるのでシステムの説明は省略し、録画装置９の構成を説明する。
【００５０】
図５は、本実施の形態の録画装置９の内部の構成例を示す図である。録画装置９は、マイコン（マイクロコンピュータ）、ＲＡＭ、ＲＯＭ、カレンダー時計（タイマー）などで構成されたＣＰＵ２１、デジタル放送を選局するチューナ２２、選曲した映像の圧縮などの処理をする映像処理部２３、映像を録画するＨＤＤ２４、選曲や録画設定を行う操作部２５、時刻表示やチャネル表示や録画中などのモード表示を行う表示部２６、ネットワーク１に接続するためのネットワーク端子２７、ネットワーク１と通信を行うための通信インタフェース２８、ネットワーク１を介して得られたカメラドアホン子機４の映像を一時的に保存する映像バッファ（メモリ）２９、映像バッファ２９の映像の圧縮を行う映像処理部３０、映像バッファ２９の映像をテレビ（図示せず）でモニタするための映像出力端子３１、テレビとの制御信号の通信を行うための信号端子３２、テレビの映像を録画するための映像入力端子３３を備えている。
【００５１】
ここで、ＣＰＵ２１内のカレンダー時計は、デジタル放送に含まれる日付・時刻情報により常時校正される。また、不在時にカメラドアホン親機３の映像を録画するように設定された場合は、録画装置は、ＨＤＤ２４の駆動は停止していて、その他の構成部は準備状態にある。カメラドアホン親機３の映像の取得が開始されると同時にＣＰＵ２１は、ＨＤＤ２４の駆動を開始し、ＨＤＤ２４の録画準備が整った段階で、映像バッファ２９の映像をＨＤＤ２４のパーテーションされた専用の記録部Ｃに記録するように制御する（なお、テレビ放送は同Ｂに録画される。）。従って、画像バッファ２９は、カメラドアホン親機３から配信された映像の１回分（３０秒）の映像がストックできるよう約４０メガバイトの記憶容量を有している。
【００５２】
不在時のカメラドアホン親機３の映像を録画する設定は、前述のＧＵＩの方式によりテレビ画面上において、リモコン装置により行れるので、その信号は信号端子３２よりＣＰＵ２１が取得する。なお、カメラドアホン親機３の映像をＨＤＤ２４の専用の記録部Ｃに記録するようにしたのは、テレビ放送の録画でＨＤＤ２４の記録容量が満杯になった場合にカメラドアホンの映像が録画できなくなること避けるためである。
【００５３】
次に図５を参照しながら、前述した図４の後半と図６を用いて、外出時を例にした録画動作を説明する。図６は、本実施の形態の録画動作の手順を説明するためのフローチャートである。また、図４の後半は、録画設定、映像配信のための通信の手順を示す図である。
【００５４】
図６でＳ３０１において、使用者による録画設定の操作が行われるが、その手順を図４のＳ２１０〜Ｓ２１３で説明する。
【００５５】
Ｓ２１０で使用者がリモコン装置１２を操作して録画設定の操作を行うと、Ｂ（録画装置９）は、Ａ（カメラドアホン用のＰＬＣアダプタ２）に対してイベント通知要求のパケットをユニキャストで送出する。このパケットを受信したＡは、パケットに含まれるＭＡＣアドレスによりＢを認証し、Ｓ２１２において、カメラドアホン子機４の呼び出し釦が押されたときに映像を送出するモードに設定する。
【００５６】
そして、Ｂに対して上記モードに設定したことを知らせるイベント準備完了のパケットをユニキャストで送出し、録画できる準備を終了する。この通信により、図６のＳ３０２において、録画装置９はＨＤＤ２４のみが停止された前述の準備（録画待機）状態になる。
【００５７】
また、Ｓ３０３において、カメラドアホン側は映像が送出できる映像送出準備の状態になる。次に、Ｓ３０４でカメラドアホンの呼び出し釦が押されると、Ｓ３０５でカメラドアホンの画像が録画装置に向けて送出されるが、このＳ３０３〜Ｓ３０５の詳細を図４のＳ２１４〜Ｓ２１８で説明する。
【００５８】
Ｓ２１４で来客がカメラドアホン子機４の呼び出し釦（図示しない）を押すと、Ｓ２１５においてもＡ（カメラドアホン用のＰＬＣアダプタ２）は、イベント発生のパケットをＢ（録画装置９）に対してユニキャストで送出する。このパケットを受けたＢは、Ｓ２１６において、前述のＡから取得したパスワードＡと自機ＢのＩＤを添付した映像要求パケットをＡに対してユニキャストで送出する。
【００５９】
この映像要求パケットを受けたＡは、Ｓ２１７において、パスワードＡとＩＤでＢを認証し、次のＳ２１８で、映像データをパケットにしてＢに配信する。この場合、配信する映像データには、呼び出し釦が押された時刻の情報が添付される。
【００６０】
このように、ＡがＢをＭＡＣアドレスだけでなく、パスワードとＩＤとでも認証するために、冒頭で記載したような近隣の録画装置に映像を送出するようなことが発生しない。
【００６１】
再び図６に戻る。Ｓ３０６において、カメラドアホンから取得した映像は、一旦、映像バッファ２９に蓄積される。録画装置９は、図４のＳ２１５のイベント通知を受け取った時点でＣＰＵ２１がＨＤＤ２４を駆動して（Ｓ３０７）、映像が映像バッファ２９に蓄積される過程（Ｓ３０８）で録画準備が整うので、Ｓ３０９において、映像バッファ２９に蓄積した映像が逐次ＨＤＤ２４に録画される。Ｓ３１０で録画が終了するとＳ３１１でＨＤＤ２４の駆動を停止し、Ｓ３０４に戻って次の録画動作に備える。
【００６２】
次に、カメラドアホン親機３の時刻の修正方法について図７を用いて説明する。カメラドアホン親機３が配信する映像には、呼び出し釦が押された日付・時刻が添付されるが、この日付・時刻の情報は、カメラドアホン親機３に内蔵するカレンダー時計（タイマー）に基づいたものであることが要求される。なぜなら、ネットワークを介して録画装置が受け取った時刻を用いることは、ネットワーク上の伝送時間が必ず一定している保証がないからである。
【００６３】
図７（ａ）は、カメラドアホン側から録画装置にアクセスしてカメラドアホンに内蔵のカレンダー時計の時刻を修正する手順を説明するためのフローチャート、図７（ｂ）は、録画装置側からアクセスしてカメラドアホンに内蔵のカレンダー時計の時刻を修正する手順を説明するためのフローチャートである。
【００６４】
まず、図７（ａ）ついて説明する。ドアホンアダプタ２は、Ｓ４０１において、内蔵のカレンダー時計から所定時刻（例えば０時）になるとＳ４０２において、自己の所定時刻情報を添付した時刻要求のパケットを録画装置９に対してユニキャストで送出する。このパケットを受けた録画装置９は、Ｓ４０３で自己のデジタルテレビ放送で得た時刻もしくは、デジタル放送を受けて整時した自己のカレンダー時計の情報により、誤差を把握する。
【００６５】
次にＳ４０４において、上記の誤差情報（例えばマイナス１０秒）を正規時刻応答パケットとしてドアホンアダプタ２に対しユニキャストで送出する。このパケットを受信したドアホンアダプタ２はＳ４０５で自己のカレンダー時計の時刻を修正し、Ｓ４０６で時刻を修正した旨の修正通知パケットを録画装置９にユニキャストで送出する。これにより録画装置は、カメラドアホン側の時刻が修正されたことを確認できる（Ｓ４０７）。
【００６６】
なお、上記説明ではドアホンアダプタ２から自己の時刻を添付して録画装置９へ時刻要求パケットを送信し、録画装置９から誤差情報を受け取って時刻を修正するとしたが、時刻の修正の仕方はこれに限定されるものではない。例えば、ドアホンアダプタ２からは時刻要求パケットのみを送信し、録画装置９から正規時刻を受信して、この受信した時刻でドアホンアダプタの時刻を修正してもよい。
【００６７】
また、ドアホンアダプタ２が録画装置９へ時刻要求パケットを送ってから、録画装置９より誤差情報や正規時刻を受け取るまでの遅延時間は、ネットワークの状態によって変動し、許容範囲（例えば１秒）をオーバーする場合がある。そこで、ドアホンアダプタ２は上記遅延時間を監視し、例えば１秒以内に誤差情報を受け取った場合のみ、この誤差情報を信用してドアホンアダプタ２の時刻を修正するのが望ましい。
【００６８】
次に図７（ｂ）ついて説明する。録画装置９は、Ｓ５０１において所定時刻（例えば０時）になるとＳ５０２において、デジタルテレビ放送で得た時刻もしくは、デジタル放送を受けて整時した自己のカレンダー時計の情報に基づいた時刻情報パケットをマルチキャストにより送出する。
【００６９】
このパケットを受信したドアホンアダプタ２はＳ５０３において自己のカレンダー時計（タイマー）の時刻を修正し、Ｓ５０４において修正した旨の時刻修正パケットを録画装置９にユニキャストで送出する。これにより録画装置９は、カメラドアホン側の時刻が修正されたことを確認できる（Ｓ５０５）。
【００７０】
以上説明したように、本発明の録画システムは、カメラなどの撮像装置の映像をビデオ録画装置の特定領域に記録できるようにしたものであり、撮像装置に記録するのに比べ格段に大容量の記録ができ、かつ、記録領域を特定しているため録画漏れが発生することが少ない。
【００７１】
また、撮像視装置自体が保有するカレンダー時計の時刻をデジタルテレビ放送から得られた時刻情報に基づいて修正するため、録画された画像の日付・時刻を正確に維持できる。
【産業上の利用可能性】
【００７２】
本発明は、ネットワークで接続された撮像装置と録画装置がお互いに登録・認証し、撮像画像を録画装置に記録する録画システムに幅広く適用可能である。
【図面の簡単な説明】
【００７３】
【図１】本発明が適用される録画システムの構成例を示す図
【図２】本発明の実施の形態１のカメラドアホン用のＰＬＣアダプタの外観を示す図
【図３】同登録・認証設定のための使用者の操作手順を示す図
【図４】同登録設定、録画設定、映像配信のための通信の手順を示す図
【図５】本発明の実施の形態２の録画装置内部の構成例を示す図
【図６】同録画動作の手順を説明するためのフローチャート
【図７】同時刻修正の手順を説明するためのフローチャート
【符号の説明】
【００７４】
１    ネットワーク
１ａ，１ｂ，１ｃ    情報コンセント
２，５，７    ＰＬＣアダプタ（ドアホンアダプタ）
２ａ    登録釦
２ｂ    表示ランプ
３    カメラドアホン親機
４    カメラドアホン子機
６    ネットワークカメラ
９    録画装置
１２    リモコン装置
【図１】
0004946712.tif 000002
【図２】
0004946712.tif 000003
【図３】
0004946712.tif 000004
【図４】
0004946712.tif 000005
【図５】
0004946712.tif 000006
【図６】
0004946712.tif 000007
【図７】
0004946712.tif 000008